(57)【要約】【課題】継ぎ目に沿って真っ直ぐに溝を形成することが容易で、床面をきれいに仕上げることができるシート床材用溝切機を提供する。【解決手段】スライド板１１が、トリマ１２の下端部に固定され、トリマ１２の刃１２ａを下方から突出可能である。スライド板１１は、直線状のスライド部２１を有し、底部のスライド部２１に沿った部分に段差２４を有している。基準部材１４が、スライド部２１をスライド可能な直線状のガイド部３０を有している。各ストッパ１５が、基準部材１４をその幅方向で挟んで床面１に貼り付けられる。位置決め部材１３が、透明であって、直線状の位置合わせ部を有し、底部の位置合わせ部に沿った部分に段差を有している。位置決め部材１３は、位置合わせ部からトリマ１２の刃１２ａとスライド部２１との距離と同一の距離だけ離れた位置に、位置合わせ部と平行に直線状の基準線を有している。【選択図】図５
0003110714.tif 000002
【実用新案登録請求の範囲】
【請求項１】
床面に敷設されたシート床材の継ぎ目に溶接棒を埋めるための溝を形成するシート床材用溝切機であって、
電動で回転する刃により溝を形成可能なトリマと、
前記トリマの下端部に固定されて前記トリマの刃を下方から突出可能な貫通孔を有し、縁部に直線状のスライド部を有し、底部の前記スライド部に沿った部分が底部の他の部分に比べて高くなって下方に所定の幅の間隙を形成するよう底部に段差を有するスライド板とを、
有することを特徴とするシート床材用溝切機。
【請求項２】
基準部材と複数のストッパと位置決め部材とを有し、
前記基準部材は細長い板状であってその長さ方向に沿った縁部に前記スライド部をスライド可能な直線状のガイド部を有し、
各ストッパは前記スライド板の間隙より高さが低く幅が短く、前記基準部材をその幅方向で挟んで前記床面に着脱可能に貼り付けられ、
前記位置決め部材は透明であって縁部に直線状の位置合わせ部を有し、底部の前記位置合わせ部に沿った部分が底部の他の部分に比べて高くなって下方に各ストッパより高く幅が長い間隙を形成するよう底部に段差を有し、前記位置合わせ部から前記トリマの刃と前記スライド部との距離と同一の距離だけ離れた位置に前記位置合わせ部と平行に直線状の基準線を有し、
前記スライド板の前記他の部分に前記スライド板の材質より摩擦係数が低い平滑層が設けられていることを、
特徴とする請求項１記載のシート床材用溝切機。
【考案の詳細な説明】
【技術分野】
【０００１】
本考案は、床面に敷設されたシート床材の継ぎ目に溶接棒を埋めるための溝を形成するシート床材用溝切機に関する。
【背景技術】
【０００２】
一般的に、床面に敷設されたシート床材の継ぎ目をきれいに仕上げる場合、継ぎ目に沿って溝を形成し、その溝に溶接棒を埋めて溶接している。従来、継ぎ目に溝を形成する作業は、カッターを使用して手作業で行っていた。しかし、カッターによる手作業では、労力を要し、時間もかかるという問題があった。この問題を解決するために、継ぎ目に所定の間隔でガイド用の針を刺し、その針に沿って溝切りを行う電動溝切機がある（例えば、非特許文献１参照）。
【０００３】
【非特許文献１】「ＹＡＹＯＩＰＡＧＥ２００２  施工具カタログプロ仕様」，ヤヨイ化学工業株式会社，平成１３年１０月，ｐ．３８９
【考案の開示】
【考案が解決しようとする課題】
【０００４】
しかしながら、非特許文献１記載の電動溝切機は、ガイド用の針に沿って移動させるのが難しいため、経験に乏しい作業者では、継ぎ目に沿って真っ直ぐに溝を形成することができないという課題があった。また、このため、床面をきれいに仕上げることが難しいという課題があった。
【０００５】
本考案は、このような従来の課題に着目してなされたもので、継ぎ目に沿って真っ直ぐに溝を形成することが容易で、床面をきれいに仕上げることができるシート床材用溝切機を提供することを目的とする。
【課題を解決するための手段】
【０００６】
上記目的を達成するために、本考案に係るシート床材用溝切機は、床面に敷設されたシート床材の継ぎ目に溶接棒を埋めるための溝を形成するシート床材用溝切機であって、電動で回転する刃により溝を形成可能なトリマと、前記トリマの下端部に固定されて前記トリマの刃を下方から突出可能な貫通孔を有し、縁部に直線状のスライド部を有し、底部の前記スライド部に沿った部分が底部の他の部分に比べて高くなって下方に所定の幅の間隙を形成するよう底部に段差を有するスライド板とを、有することを特徴とする。
【０００７】
本考案に係るシート床材用溝切機は、トリマの刃を貫通孔から突出させるよう、スライド板をトリマの下端部に固定して使用される。まず、床面に敷設されたシート床材の継ぎ目からトリマの刃とスライド板のスライド部との距離だけ離した位置に、定規などの位置決め部材を配置する。スライド板の段差を有する底部の低い部分を床面に載せ、スライド部を位置決め部材に沿わせる。トリマの刃をシート床材の継ぎ目に当てて刃を回転させながら、スライド板を位置決め部材に沿ってスライドさせる。これにより、回転するトリマの刃でシート床材の継ぎ目に溝を形成することができる。
【０００８】
このように、本考案に係るシート床材用溝切機は、位置決め部材に沿ってスライド板をスライドさせることにより、作業に熟練していなくとも、継ぎ目に沿って真っ直ぐに溝を形成することが容易で、床面をきれいに仕上げることができる。
【０００９】
本考案に係るシート床材用溝切機で、トリマは、貫通孔からの刃の突出量を調節可能であることが好ましい。この場合、形成される溝の深さを変えることができる。また、トリマは、大きさや形状の異なる刃に交換可能であってもよい。この場合、溝の形状や大きさを変えることができる。
【００１０】
本考案に係るシート床材用溝切機は、基準部材と複数のストッパと位置決め部材とを有し、前記基準部材は細長い板状であってその長さ方向に沿った縁部に前記スライド部をスライド可能な直線状のガイド部を有し、各ストッパは前記スライド板の間隙より高さが低く幅が短く、前記基準部材をその幅方向で挟んで前記床面に着脱可能に貼り付けられ、前記位置決め部材は透明であって縁部に直線状の位置合わせ部を有し、底部の前記位置合わせ部に沿った部分が底部の他の部分に比べて高くなって下方に各ストッパより高く幅が長い間隙を形成するよう底部に段差を有し、前記位置合わせ部から前記トリマの刃と前記スライド部との距離と同一の距離だけ離れた位置に前記位置合わせ部と平行に直線状の基準線を有し、前記スライド板の前記他の部分に前記スライド板の材質より摩擦係数が低い平滑層が設けられていることが好ましい。
【００１１】
この基準部材と複数のストッパと位置決め部材とを有する構成では、まず、位置決め部材を床面に置き、基準線を床面に敷設されたシート床材の継ぎ目に合わせる。位置決め部材は透明なため、基準線と継ぎ目とを目で見て容易に合わせることができる。位置決め部材の位置合わせ部に基準部材のガイド部を合わせて、基準部材を床面に置く。これにより、基準部材のガイド部にスライド板のスライド部を当てたとき、トリマの刃を継ぎ目に位置付けることができる。
【００１２】
基準部材がずれないよう、各ストッパを基準部材の幅方向で挟んで床面に貼り付ける。複数の基準部材を連続させて配置した場合には、位置決め部材の位置合わせ部を連続する基準部材のガイド部に沿ってスライドさせ、連続する基準部材間に段差がないことを確認し、必要に応じて基準部材の配置を調整する。なお、位置決め部材の底部には段差が形成されているため、位置決め部材をスライドさせる際に各ストッパは間隙を通過し、障害にならない。
【００１３】
基準部材の配置後、スライド板の段差を有する底部の低い部分を床面に載せ、スライド部を基準部材のガイド部に沿わせる。トリマの刃をシート床材の継ぎ目に当てて刃を回転させながら、スライド板を基準部材に沿ってスライドさせる。このとき、スライド板の底部には段差が形成されているため、スライド板をスライドさせる際に各ストッパは間隙を通過し、障害にならない。こうして、シート床材の継ぎ目に溝を形成することができる。
【００１４】
このように、基準部材のガイド部に沿ってスライド板をスライドさせることにより、作業に熟練していなくとも、継ぎ目に沿って真っ直ぐに溝を形成することが容易で、床面をきれいに仕上げることができる。
【考案の効果】
【００１５】
本考案によれば、継ぎ目に沿って真っ直ぐに溝を形成することが容易で、床面をきれいに仕上げることができるシート床材用溝切機を提供することができる。
【考案を実施するための最良の形態】
【００１６】
以下、図面に基づき本考案の実施の形態について説明する。
図１乃至図５は、本考案の実施の形態のシート床材用溝切機を示している。
図１乃至図５に示すように、シート床材用溝切機は、スライド板１１とトリマ１２と位置決め部材１３と基準部材１４と複数のストッパ１５とを有している。
【００１７】
図１に示すように、スライド板１１は、プラスチック製で、一方の縁部１１ａに直線状のスライド部２１を有し、他方の縁部１１ｂが滑らかな曲線状に形成されている。また、スライド板１１は、中央の一端寄りの位置に設けられた貫通孔２２と、貫通孔２２の４方に貫通孔２２から等距離の位置に設けられた４つの固定用孔２３とを有している。スライド板１１は、底部１１ｃのスライド部２１に沿った部分が、底部１１ｃの他の部分に比べて高くなって下方に所定の幅の間隙を形成するよう、底部１１ｃに段差２４を有している。スライド板１１は、段差２４でない底部１１ｃの他の部分に、摩擦係数が低いプラスチック板を貼り付けた平滑層２５が設けられている。
【００１８】
図２に示すように、トリマ１２は、市販製品（例えば、リョービ株式会社製、商品名「ＴＲＥ−４０」など）から成り、電動で回転する刃１２ａにより溝を形成可能である。トリマ１２は、先端に軸径が６ｍｍの刃１２ａが取り付けられ、Ｖ字型の溝を形成可能になっている。なお、トリマ１２は、先端からの刃１２ａの突出量を調節可能であり、大きさや形状の異なる刃にも交換可能である。トリマ１２は、刃１２ａをスライド板１１の貫通孔２２の底部１１ｃ側から突出させるよう、下端部１２ｂが固定用孔２３に挿入されたネジによりスライド板１１に固定されている。
【００１９】
図３に示すように、位置決め部材１３は、透明なプラスチック製で、細長い板状に形成されている。位置決め部材１３は、一方の縁部１３ａに直線状の位置合わせ部２６を有している。位置決め部材１３は、底部１３ｂの位置合わせ部２６に沿った部分が、底部１３ｂの他の部分に比べて高くなって下方に所定の幅の間隙を形成するよう、底部１３ｂに段差２７を有している。図３（ａ）に示すように、位置決め部材１３は、位置合わせ部２６からトリマ１２の刃１２ａとスライド板１１のスライド部２１との距離と同一の距離だけ離れた位置に、位置合わせ部２６と平行に直線状の基準線２８を有している。また、位置決め部材１３は、中央に長さ方向に沿って間隔を開けて設けられた２つのつまみ用孔２９を有している。
【００２０】
図４および図５に示すように、基準部材１４は、プラスチック製で、細長い矩形の板状である。基準部材１４は、長さ方向に沿った一方の縁部１４ａに、スライド板１１のスライド部２１および位置決め部材１３の位置合わせ部２６をスライド可能な直線状のガイド部３０を有している。なお、具体的な一例では、基準部材１４は、長さが約９０ｃｍである。
【００２１】
図４および図５に示すように、各ストッパ１５は、スライド板１１の段差２４および位置決め部材１３の段差２７の間隙より高さが低く幅が短く形成されている。各ストッパ１５は、基準部材１４が床面に沿ってずれないよう、基準部材１４をその幅方向で挟んで床面に貼り付けられている。各ストッパ１５は、着脱可能である。
【００２２】
次に、作用について説明する。
図２に示すように、シート床材用溝切機は、トリマ１２の刃１２ａを貫通孔２２から突出させるよう、スライド板１１をトリマ１２の下端部１２ｂに固定して使用される。まず、図４に示すように、位置決め部材１３を底部１３ｂで床面１に置き、基準線２８を床面１に敷設されたシート床材２の継ぎ目３に合わせる。位置決め部材１３は透明なため、基準線２８と継ぎ目３とを目で見て容易に合わせることができる。位置決め部材１３の位置合わせ部２６に基準部材１４のガイド部３０を合わせて、基準部材１４を床面１に置く。これにより、基準部材１４のガイド部３０にスライド板１１のスライド部２１を当てたとき、トリマ１２の刃１２ａを継ぎ目３に位置付けることができる。
【００２３】
基準部材１４がずれないよう、各ストッパ１５を基準部材１４の幅方向で挟んで床面１に貼り付ける。複数の基準部材１４を連続させて配置した場合には、位置決め部材１３の位置合わせ部２６を連続する基準部材１４のガイド部３０に沿ってスライドさせ、連続する基準部材１４間に段差がないことを確認し、必要に応じて基準部材１４の配置を調整する。なお、図４（ｂ）に示すように、位置決め部材１３の底部１３ｂには段差２７が形成されているため、位置決め部材１３をスライドさせる際に各ストッパ１５は間隙を通過し、障害にならない。
【００２４】
図５に示すように、基準部材１４の配置後、スライド板１１の段差２４を有する底部１１ｃの低い部分を床面１に載せ、スライド部２１を基準部材１４のガイド部３０に沿わせる。トリマ１２の刃１２ａをシート床材２の継ぎ目３に当てて刃１２ａを回転させながら、スライド板１１を基準部材１４に沿ってスライドさせる。このとき、図５（ｂ）に示すように、スライド板１１の底部１１ｃには段差２４が形成されているため、スライド板１１をスライドさせる際に各ストッパ１５は間隙を通過し、障害にならない。こうして、シート床材２の継ぎ目３に溝４を形成することができる。
【００２５】
このように、シート床材用溝切機は、基準部材１４のガイド部３０に沿ってスライド板１１をスライドさせることにより、作業に熟練していなくとも、継ぎ目３に沿って真っ直ぐに溝４を形成することが容易である。また、これにより、その溝４に溶接棒を埋めて、床面１をきれいに仕上げることができる。
【図面の簡単な説明】
【００２６】
【図１】本考案の実施の形態のシート床材用溝切機のスライド板を示す（ａ）正面図、（ｂ）右側面図、（ｃ）底面図である。
【図２】本考案の実施の形態のシート床材用溝切機のスライド板にトリマを取り付けた状態を示す側面図である。
【図３】本考案の実施の形態のシート床材用溝切機の位置決め部材を示す（ａ）正面図、（ｂ）右側面図、（ｃ）底面図である。
【図４】本考案の実施の形態のシート床材用溝切機の基準部材の設置工程を示す（ａ）平面図、（ｂ）Ａ−Ａ線断面図である。
【図５】本考案の実施の形態のシート床材用溝切機の溝切り工程を示す（ａ）平面図、（ｂ）Ｂ−Ｂ線断面図である。
【符号の説明】
【００２７】
１    床面
２    シート床材
３    継ぎ目
４    溝
１１  スライド板
１２  トリマ
１２ａ  刃
１３  位置決め部材
１４  基準部材
１５  ストッパ
２１  スライド部
２２  貫通孔
２３  固定用孔
２４  段差
２５  平滑層
２６  位置合わせ部
２７  段差
２８  基準線
２９  つまみ用孔
３０  ガイド部
【図１】
0003110714.tif 000003
【図２】
0003110714.tif 000004
【図３】
0003110714.tif 000005
【図４】
0003110714.tif 000006
【図５】
0003110714.tif 000007